(57)【特許請求の範囲】
【請求項１】
一定時間ごとの降水量の予報を示す情報を少なくとも含む気象予報データに基づいて、雨水再利用槽が取り込む雨水の量の予測値である予測降水量を算出し、前記予測降水量に基づいて、前記雨水再利用槽における貯水量が上限となるのに応じて雨水が貯留される雨水貯留槽に貯留された雨水を再利用可能であるか下水道に排出すべきかを判定する判定部と、
前記判定部の判定結果に応じた情報を表示する表示部と、
を備えることを特徴とする衛生設備ナビゲーション装置。
【請求項２】
前記判定部は、
前記予測降水量を算出すべき時間帯である降水量予測時間帯と、当該降水量予測時間帯における降水量の上限を示す降水量上限値を操作に応じて設定し、前記降水量予測時間帯に対して算出した前記予測降水量と前記降水量上限値を比較した結果に基づいて、前記雨水貯留槽に貯留された雨水を再利用可能であるか下水道に排出すべきかを判定する
ことを特徴とする請求項１に記載の衛生設備ナビゲーション装置。
【請求項３】
操作により自動運転すべきことが指定されている場合に、前記雨水貯留槽に貯留された雨水を再利用可能であると判定されている場合には、前記雨水貯留槽に貯留された雨水が再利用されるように前記雨水貯留槽を含む衛生設備を運転させる運転制御部をさらに備える
ことを特徴とする請求項１または請求項２に記載の衛生設備ナビゲーション装置。
【請求項４】
前記雨水貯留槽に貯留された雨水を再利用した過去の一定期間における所定の評価項目ごとの実績を求める評価部と、
前記評価部により求められた前記評価項目ごとの実績を前記表示部に表示させる表示制御部と
を備えることを特徴とする請求項１から請求項３のいずれか一項に記載の衛生設備ナビゲーション装置。
【発明の詳細な説明】
【技術分野】
【０００１】
本発明は、衛生設備ナビゲーション装置に関する。
【背景技術】
【０００２】
建物における設備について、省エネルギー、コストダウン、環境負荷（ＣＯ２排出量）などを考慮して効率的に運転することが求められている。そこで、以下のように空調設備の運転スケジュールのナビゲーションを行うシステムが提案されている。つまり、複数台の空調熱源機の運転優先順位の組合せパターンを設定したうえで、この組合せパターンごとにおける熱源機の許容運転スケジュールを設定する。次に、この組合せパターンごとにおける熱源機の許容運転スケジュールに基づいて建物負荷に応じて最適とされる熱源機運転台数制御シミュレーションを実行する。そして、このシミュレーション結果に基づいて、エネルギー消費量、ランニングコスト、ＣＯ２排出量を算出して評価しようというものである(例えば、特許文献１参照)。
【先行技術文献】
【特許文献】
【０００３】
【特許文献１】特開２０１１−２１１１号公報
【発明の概要】
【発明が解決しようとする課題】
【０００４】
建物における設備としては、上記空調設備などのような電気設備のほか、建物において水を衛生的に利用するための衛生設備がある。近年、このような衛生設備についても、水資源の節約、コストダウン、環境負荷などを考慮して、雨水を貯留して再利用することが提案され、また、実現化されるようになってきている。
【０００５】
上記のように衛生設備において雨水を再利用するにあたっては、できるだけ有効に利用することが好ましい。しかし、現状において、雨水の再利用計画は、例えば衛生設備の管理者が経験に頼って行っていることがほとんどであるために、必ずしも、現実の運用において適切に雨水が再利用されているとは限らない。
【０００６】
特許文献１の技術によれば、空調設備における空調機を適切に運転するための運転計画を作成して管理者に提示することができるが、上記のような衛生設備における雨水の再利用を考慮したものではない。この点からすれば、衛生設備に関しても、例えば雨水の再利用計画を適切に作成して管理者に提案できるようにすることが求められているといえる。
【０００７】
そこで、本発明は、衛生設備における雨水の再利用を適切に運用していくことのできる衛生設備ナビゲーション装置を提供することを目的とする。
【課題を解決するための手段】
【０００８】
本発明は、上述の課題を解決すべくなされたもので、気象予報データに基づいて予測した予測降水量に少なくとも基づいて、雨水再利用槽における貯水量が上限となるのに応じて雨水が貯留される雨水貯留槽に貯留された雨水を再利用可能であるか下水道に排出すべきかを判定する判定部と、前記判定部の判定結果に応じた情報を表示する表示部と、を備えることを特徴とする。
【０００９】
また、本発明は、上述の衛生設備ナビゲーション装置において、前記判定部は、前記予測降水量を予測すべき時間帯である降水量予測時間帯と、当該降水量予測時間帯における降水量の上限を示す降水量上限値を操作に応じて設定し、前記降水量予測時間帯において予測した前記予測降水量と前記降水量上限値を比較した結果に基づいて、前記雨水貯留槽に貯留された雨水を再利用可能であるか下水道に排出すべきかを判定することを特徴とする。
【００１０】
また、本発明は、上述の衛生設備ナビゲーション装置において、操作により自動運転すべきことが指定されている場合に、前記雨水貯留槽に貯留された雨水を再利用可能であると判定されている場合には、前記雨水貯留槽に貯留された雨水が再利用されるように前記雨水貯留槽を含む衛生設備を運転させる運転制御部をさらに備えることを特徴とする。
【００１１】
また、本発明は、上述の衛生設備ナビゲーション装置において、前記雨水貯留槽に貯留された雨水を再利用した過去の一定期間における所定の評価項目ごとの実績を求める評価部と、前記評価部により求められた前記評価項目ごとの実績を前記表示部に表示させる表示制御部とを備えることを特徴とする。
【発明の効果】
【００１２】
本発明によれば、衛生設備における雨水の再利用を適切に運用していくことが可能になるという効果が得られる。
【図面の簡単な説明】
【００１３】
【図１】本発明の実施形態における衛生設備ナビゲーション装置の構成例を示す図である。
【図２】本実施形態における雨水管理装置の構成例を示す図である。
【図３】本実施形態における降水量予報画面の表示態様例を示す図である。
【図４】本実施形態における設定画面の表示態様例を示す図である。
【図５】本実施形態における雨水の再利用量と上水利用量についての評価画面の表示態様例を示す図である。
【図６】本実施形態におけるコストとＣＯ２排出量についての評価画面の表示態様例を示す図である。
【図７】本実施形態における雨水管理装置が雨水再利用判定のために実行する処理手順例を示す図である。
【図８】本実施形態における雨水管理装置が実行する運転制御のための処理手順例を示す図である。
【発明を実施するための形態】
【００１４】
図１は、本実施形態における衛生設備ナビゲーション装置を用いた衛生設備ナビゲーションシステムの構成例を示している。この図に示す衛生設備ナビゲーションシステムは、雨水再利用槽１、雨水貯留槽２、濾過器３、雑用水受水槽４、中水処理設備５および雨水管理装置１００を備える。この実施形態においては衛生設備として、雨水を一時的に貯留し、雑用水として活用する場合を一例として説明する
【００１５】
雨水再利用槽１は、例えば雑用水などとして再利用するための雨水を貯留する水槽である。雨水再利用槽１に貯留された雨水を再利用する際には、移送ポンプ１１により、雨水再利用槽１から雨水を汲み上げて濾過器３に供給する。
【００１６】
雨水貯留槽２は、雨水の下水道への流出量を制限するための水槽である。つまり、雨が降った場合に、この雨を各建物や施設がそのまま下水道に流してしまうと、下水道が溢れやすくなってしまう。雨水貯留槽２は、降雨時において雨水を貯留しておき、例えば雨が止んだ後に、所定の時間あたりの排水量により貯留された雨水を下水道に排出させるように使用される。
【００１７】
したがって、この雨水貯留槽２は雨が降っていないときに空の状態としておくことが一般的である。しかし、本実施形態の衛生設備では、例えば気象予報に基づいて雨が降らないことが予想される場合においては、雨水貯留槽２に貯留された雨水を排出することなく貯留しておく。そして、雨水再利用槽１に貯留された雨水とともに、雨水貯留槽２に貯留された雨水についても再利用する。これにより、本実施形態における衛生設備では、再利用可能な雨水の量が増えることとなって、例えば、上水利用量やコストなどが抑えられることになる。ただし、雨が降ることが予想される場合には、雨水貯留槽２に貯留された雨水を下水道が溢れないように事前に排出しておき、降った雨を貯留できるようにしておく。
【００１８】
雨水貯留槽２に貯留された雨水を下水道に排出させる際には、排水ポンプ２１により雨水貯留槽２から雨水を排出させる。また、雨水貯留槽２に貯留された雨水を再利用する際には、移送ポンプ２２により、雨水貯留槽２から雨水を汲み上げて濾過器３に供給する。また、移送ポンプ２２により汲み上げられた雨水は、屋外放流用にも利用されるようになっている。
【００１９】
濾過器３は、雨水再利用槽１または雨水貯留槽２から再利用のために汲み上げられてきた雨水を濾過し、雑用水受水槽４に供給する。
【００２０】
雑用水受水槽４は、雑用水として利用される水を貯留する水槽である。雑用水受水槽４には、雨水再利用槽１と雨水貯留槽２からの雨水が上記濾過器３にて濾過されて供給される。また、雑用水受水槽４には上水が補給される。また、雑用水受水槽４には、中水処理設備５から汲み上げられた中水が供給されるようにもなっている。この雑用水受水槽４に貯留された水は、給水ポンプ４１により汲み上げられて雑用水を利用する各種設備（ここでは図示せず）に供給される。
中水処理設備５は、中水を処理する水槽を備えた設備である。中水処理設備５においては、移送ポンプ５１により水を汲み上げて雑用水受水槽４に供給することができる。
【００２１】
雨水管理装置（衛生設備ナビゲーション装置）１００は、気象予報データに基づいて雨水貯留槽２に貯留された雨水（貯留雨水）を再利用すべきか否かを判定する。つまり、雨水管理装置１００は、例えば気象予報データが示す直近の２日間の降水量の情報に基づいて、雨が降らない、または雨が降ったとしても許容できる程度に少ないと予測すれば、上記雨水貯留槽２の貯留雨水を再利用可能であると判定する。これに対して、雨水管理装置１００は、上記気象予報データにおける降水量の情報に基づいて、一定以上の降水量が発生すると予測すれば、雨水貯留槽２の貯留雨水を再利用せずに排出させるべきであると判定するものである。
【００２２】
また、雨水管理装置１００に対しては、管理者の操作により、雨水再利用に関する衛生設備の運転について自動運転と手動運転のいずれとするのかを設定することができる。そして、自動運転が設定されている場合において、雨水貯留槽２の貯留雨水を再利用可能であると判定した場合、雨水管理装置１００は、上記貯留雨水が再利用されるように自動運転を行う。具体的に、雨水管理装置１００は、移送ポンプ２２を駆動して雨水貯留槽２の貯留雨水の汲み上げを行い濾過器３に供給する。また、供給された雨水を濾過するように濾過器３を動作させる。
【００２３】
なお、雨水貯留槽２の貯留雨水が再利用可能である場合、雨水再利用槽１と雨水貯留槽２とでは、雨水貯留槽２の貯留雨水の再利用が優先される。このため、雨水管理装置１００は、雨水貯留槽２の貯留雨水の汲み上げを行うための移送ポンプ２２の駆動を行っているとき、雨水再利用槽１の移送ポンプ１１は停止させている。そして、雨水貯留槽２の貯留雨水が例えば無くなったときにさらに雨水を再利用する必要がある場合、雨水管理装置１００は、雨水貯留槽２の移送ポンプ２２を停止させて、代わりに移送ポンプ１１を駆動して雨水再利用槽１から雨水を汲み上げて濾過器３に供給する。
【００２４】
なお、雨水管理装置１００は、前述のように、雨水貯留槽２の貯留雨水が再利用可能であるか否かの判定にあたり、気象予報データを取得する必要がある。雨水管理装置１００は、ネットワーク６を介して気象予報データを提供するサーバにアクセスすることにより、気象予報データを取得する。
【００２５】
図２は、雨水管理装置１００の構成例を示している。この図に示す雨水管理装置１００は、判定部１０１、評価部１０２、表示制御部１０３、運転制御部１０４、記憶部１０５、操作部１０６、表示部１０７、ネットワーク通信部１０８およびデータインターフェース１０９を備える。
【００２６】
判定部１０１は、気象予報データ１５１により予測される予測降水量に基づいて、雨水貯留槽２に貯留された雨水を再利用可能であるか下水道に排出すべきかを判定する。
この判定においては、例えば、気象予報データに基づいて予測した予測降水量に少なくとも基づいて、雨水再利用槽における貯水量が上限となるのに応じて雨水が貯留される雨水貯留槽に貯留された雨水を再利用可能であるか下水道に排出すべきかを判定する。
【００２７】
また、判定部１０１は、上記の判定を行うにあたり、後述するように管理者の操作により指定された判定条件データ１５２を記憶部１０５から入力して利用する。判定条件データ１５２は、降水量予測時間帯と降水量上限値とを含む。降水量予測時間帯とは、判定部１０１が判定に利用する予測降水量の予測対象となる時間帯である。降水量上限値とは、降水量予測時間帯における降水量の上限を示す。
【００２８】
降水量予測時間帯における降水量の予測値である予測降水量と、降水量上限値とを比較する。そして、予測降水量のほうが小さければ、判定部１０１は、雨水貯留槽２に貯留された雨水を再利用可能であると判定する。これに対して、判定部１０１は、予測降水量のほうが大きければ雨水貯留槽２に貯留された雨水を下水道に排出すべきであると判定する。
【００２９】
評価部１０２は、雨水貯留槽２の貯留雨水を再利用した過去の一定期間（例えば１日分）における所定の評価項目ごとの実績を求める。また、同じ過去の一定期間において雨水貯留槽２の貯留雨水を再利用しなかったと仮定した場合の上記評価項目ごとの推定を行う。
【００３０】
表示制御部１０３は、判定部１０１が判定を行うのに関連したユーザインターフェース画像（ナビゲーション画面）を表示させる。このナビゲーション画面に対する操作により、管理者は、上記判定条件データの設定や、自動運転と手動運転の切り替えについての設定を行うことができる、また、ナビゲーション画面を見ることで、判定部１０１による判定結果を確認することができる。
【００３１】
運転制御部１０４は、図１に示した衛生設備における雨水の再利用に関する運転を制御する。具体的に、運転制御部１０４は、雨水貯留槽２における排水ポンプ２１と移送ポンプ２２の動作と、雨水再利用槽１における移送ポンプ１１の動作と、濾過器３の動作を制御する。
【００３２】
そのうえで、運転制御部１０４は、自動運転と手動運転のそれぞれに対応した運転制御を実行する。つまり、雨水管理装置１００は、操作部１０６に対して行われる所定操作に応じて、自動運転と手動運転のいずれかを設定する。そして、自動運転が設定されている場合において、判定部１０１により雨水貯留槽２の貯留雨水が再利用可能であると判定している場合、運転制御部１０４は、雨水貯留槽２の貯留雨水が再利用されるように、運転制御を行う。また、手動運転が設定されている場合には、管理者が行った操作により設定された運転の制御内容にしたがって運転制御を実行する。
【００３３】
記憶部１０５は、雨水の管理に必要とされる各種のデータを記憶する。ここでは、記憶部１０５が記憶するデータのうち、気象予報データ１５１、判定条件データ１５２、自動運転設定データ１５３および実績データ１５４が示される。
【００３４】
気象予報データ１５１は、ネットワーク６を経由して気象予報サーバ(図示せず)から取得した気象予報についての各種情報を含むデータである。この気象予報データ１５１には、予報日ごとに予測される一定時間ごとの天気、降水量、気温、湿度などの情報が含まれる。
【００３５】
判定条件データ１５２は、判定条件（降水量予測時間帯と降水量上限値）の内容を示すデータである。この判定条件としての降水量予測時間帯と降水量上限値は、管理者の操作部１０６に対する操作に応じて設定される。なお、判定条件としての降水量予測時間帯と降水量上限値がどのようなものであるかについては後述する。
【００３６】
自動運転設定データ１５３は、衛生設備の運転について、自動運転とするか、管理者の操作に応じた手動運転とするのかを示すデータである。この自動運転設定データ１５３の内容は、管理者が操作部１０６に対して行う所定操作に応じて設定される。
【００３７】
実績データ１５４は、過去において衛生設備を運転した結果に基づく各種の実績が示されるデータである。一例として、実績データ１５４には、一定時間ごとの雨水再利用槽１の貯留水量、雨水貯留槽２の貯留水量、衛生設備全体における使用電力量などとなる。
【００３８】
操作部１０６は、例えばキーボードやマウスなど、各種の操作デバイスを一括して示したものである。上記操作デバイスに対して操作が行われるのに応じて、操作部１０６は操作信号を出力する。この操作信号に応じて、図２に示される所定の機能部がしかるべき動作を実行する。
【００３９】
表示部１０７は、例えば液晶ディスプレイなどの所定のディスプレイデバイスを備え、表示制御部１０３の制御に応じて画像を表示する。例えば、表示部１０７は、表示制御部１０３の指示に従い、判定部１０１の判定結果に応じた情報を表示する。
【００４０】
ネットワーク通信部１０８は、ネットワーク６経由で通信を実行する部位である。このネットワーク通信部１０８により、前述のようにネットワーク６上に存在する気象予報サーバにアクセスして気象予報データ１５１をダウンロードすることが可能となる。
【００４１】
データインターフェース１０９は、所定のデータインターフェース規格にしたがって外部端末と通信を実行する。本実施形態においては、このデータインターフェース１０９を介して、衛生設備における移送ポンプ１１、２１および２２や、濾過器３などの装置と通信を実行するようにされている。これにより、衛生設備での雨水管理装置１００による運転制御が可能となる。なお、雨水管理装置１００は、例えばコンピュータ装置により実現することができる。
【００４２】
前述のように、雨水管理装置１００は、雨水貯留槽２の貯留雨水を再利用可能か否かの判定（再利用判定）を行うことができる。そのうえで、雨水管理装置１００は、管理者による操作部１０６に対する所定操作に応じて、再利用判定に関連するユーザインターフェース画像であるナビゲーション画面を表示部１０７に表示させることができる。
【００４３】
図３は、ナビゲーション画面において表示される降水量予報画面２００の表示態様例を示している。ここでは、便宜上、１つの降水量予報画面２００を図３（ａ）と図３（ｂ）により分けて示している。図３（ａ）は降水量予報画面２００の左側部分を示し、図３（ｂ）は、図３の降水量予報画面２００に続く右側部分を示す。
【００４４】
この図に示す降水量予報画面２００においては、「２０１０年１２月４日」、「２０１０年１２月５日」および「２０１０年１２月６日」ごとの降水量が示される。ここで、２０１０年１２月４日は、この降水量予報画面２００を表示させている当日に該当する。そして、これらの日ごとに、２４時間を１時間単位で区分した時間帯ごとの降水量が示される。つまり、降水量予報画面２００は、当日と、その後の２日間の降水量の予報を示すようにされている。この降水量予報画面２００における降水量は、気象予報データ１５１において示される降水量の予測情報に基づいている。管理者は、この降水量予報画面２００を見ることで、直近の２日後までの降水量についての予報の内容を把握できる。
【００４５】
図４は、ナビゲーション画面において表示される設定画面３００を示している。この設定画面３００は、判定条件データ１５２の内容を設定する操作のために提供される画面である。これに応じて、設定画面３００においては、設定項目として「降水量予測時間帯」と「降水量上限値」が示される。管理者は、操作部１０６に対する所定操作によって、「降水量予測時間帯」と「降水量上限値」の各「設定値」の欄に対して所望の数値を入力する。
【００４６】
図４の例では、「降水量予測時間帯」について「９時間」が設定され、「降水量上限値」について「１０ｍｍ以下」が設定されている。これは、判定条件データ１５２として、雨水貯留槽２の雨水の再利用が可能であると判定するための条件が、「００：００から０８：００までに対応する９時間の間において予測される降水量が１０ｍｍ以下」であることを示している。図３の例との対応では、「２０１０年１２月５日」の「００：００」から「０８：００」までの時間帯に対応する９時間において予測される降水量は７ｍｍとなっており、１０ｍｍ以下である。したがって、この場合の判定部１０１は、雨水貯留槽２の雨水の再利用が可能であると判定することになる。
【００４７】
また、図４の設定画面３００においては「設備内予測降水量」の欄が配置される。「設備内予測降水量」は、「降水量予測時間帯」として設定された時間帯において衛生設備が取り込むこととなる降水量を示す。この「設備内予測降水量」は、一例として、雨水取込口の総面積と「降水量予測時間帯」において予測される降水量（ｍｍ）を乗算することにより求められる。表示制御部１０３は、設定画面３００「降水量予測時間帯」の「設定値」の欄に対して入力される数値が変更されるごとに設備内予測降水量を算出し、「設備内予測降水量」の欄にその算出した設備内予測降水量を表示させる。
【００４８】
また、ナビゲーション画面においては、図５（ａ）、図５（ｂ）、図６（ａ）および図６（ｂ）に示す評価画面４００Ａ、４００Ｂ、４００Ｃおよび４００Ｄが表示される。
【００４９】
図５（ａ）の評価画面４００Ａは、過去の一定期間（例えば前日）において、雨水貯留槽２の貯留雨水を再利用した場合の雨水の再利用量の実績を示す。また、比較として、同じ過去の一定期間において雨水貯留槽２の貯留雨水を再利用しないと仮定した場合に推定される雨水の再利用量が示される。
【００５０】
この評価画面４００Ａにおいて、過去の一定期間（例えば１日分）における雨水の再利用量の実績は、図の左側の「制御有り」に対応するグラフとして示される。また、同じ過去の一定期間において雨水を再利用していないと仮定した場合に予測される再利用量は、図の右側の「制御無し」に対応するグラフとして示される。この「制御無し」に対応するグラフは、例えば雨水再利用槽１の貯留雨水のみの再利用量に相当する。
【００５１】
図５（ｂ）の評価画面４００Ｂは、過去の一定期間において、雨水貯留槽２の貯留雨水を再利用した場合の建物全体における上水の利用量の実績を「制御有り」のグラフにより示す。また、比較として、同じ過去の一定期間において雨水貯留槽２の貯留雨水を再利用しないと仮定した場合に推定される雨水の上水の利用量を「制御無し」のグラフとして示す。
【００５２】
図６（ａ）の評価画面４００Ｃは、過去の一定期間において、雨水貯留槽２の貯留雨水を再利用した場合に要したコスト（例えば水道料金等）を「制御有り」のグラフにより示す。また、比較として、同じ過去の一定期間において雨水貯留槽２の貯留雨水を再利用しなかったと仮定した場合に推定されるコストを「制御無し」のグラフとして示す。
【００５３】
図６（ｂ）の評価画面４００Ｄは、過去の一定期間において、雨水貯留槽２の貯留雨水を再利用した場合のＣＯ２排出量を「制御有り」のグラフにより示す。また、比較として、同じ過去の一定期間において雨水貯留槽２の貯留雨水を再利用しなかったと仮定した場合に推定されるＣＯ２排出量を「制御無し」のグラフとして示す。
【００５４】
管理者は、上記のように表示される評価画面４００Ａ、４００Ｂ、４００Ｃおよび４００Ｄを見ることで、雨水貯留槽２の貯留雨水を再利用することによる実績を容易に確認することができる。そして、管理者は、このように確認した実績から、雨水貯留槽２の貯留雨水を再利用する運転をすべきかどうかなどを的確に判断することが可能になる。
【００５５】
なお、評価画面４００Ａ、４００Ｂ、４００Ｃおよび４００Ｄとしては、例えば「制御有り」のグラフに対応する過去の実績のみを少なくとも表示させればよい。ただし、雨水貯留槽２の貯留雨水を再利用しなかったと仮定した場合の推定結果を比較対象として表示させれば、管理者は、雨水貯留槽２の貯留雨水の再利用がどの程度有効であるのかを、より的確に判断することができる。
【００５６】
図７のフローチャートは、雨水管理装置１００が実行する雨水の再利用判定に対応する処理手順例を示している。なお、この図に示す各処理は、図２に示した判定部１０１、評価部１０２および表示制御部１０３のいずれかが適宜実行するものとしてみることができる。
【００５７】
まず、表示制御部１０３は、ナビゲーション画面の表示を指示するための操作部１０６に対する操作が行われるのを待機している（ステップＳ１０１−ＮＯ）。そしてナビゲーション画面の表示を指示する操作が行われるのに応じて、表示制御部１０３は記憶部１０５から気象予報データ１５１を入力する（ステップＳ１０２）。また、評価部１０２は、記憶部１０５から実績データ１５４を入力する（ステップＳ１０３）。
【００５８】
次に、評価部１０２は、上記ステップＳ１０３により入力した実績データ１５４を利用して、雨水の再利用量、建物全館における上水利用量、コストおよびＣＯ２排出量などについて評価する（ステップＳ１０４）。
【００５９】
次に、表示制御部１０３は、上記ステップＳ１０２により入力した気象予報データ１５１と上記ステップＳ１０４による評価部１０２の評価結果を利用して、ナビゲーション画面を表示部１０７に表示させる（ステップＳ１０５）。このナビゲーション画面には、前述のように、図３の降水量予報画面２００、図４の設定画面３００、および、図６および図６の評価画面４００Ａ、４００Ｂ、４００Ｃおよび４００Ｄが表示されている。表示制御部１０３は、気象予報データ１５１における降水量の予報情報を降水量予報画面２００に反映させる。また、表示制御部１０３は、上記ステップＳ１０４による評価部１０２の評価結果に基づいて評価画面４００Ａ、４００Ｂ、４００Ｃおよび４００Ｄを生成する。
【００６０】
管理者は、ナビゲーション画面において表示されている設定画面３００の「降水量予測時間帯」と「降水量上限値」の「設定値」の各欄に所望の数値を入力する操作を行う。この操作に応じて、判定部１０１は、入力された数値が反映された「降水量予測時間帯」と「降水量上限値」から成る判定条件データ１５２を生成して記憶部１０５に記憶させる（ステップＳ１０６）。
【００６１】
次に、判定部１０１は、気象予報データ１５１と判定条件データ１５２とに基づいて雨水貯留槽２の貯留雨水についての再利用判定を行う（ステップＳ１０７）。つまり、判定部１０１は、気象予報データ１５１を利用して、上記判定条件データ１５２における「降水量予測時間帯」における降水量を予測する。次に、判定部１０１は、この予測した降水量が判定条件データ１５２における「降水量上限値」以下であれば、再利用可能であると判定する。これに対して、判定部１０１は、上記予測した降水量が「降水量上限値」以下であれば、再利用しないと判定する。表示制御部１０３は、ナビゲーション画面において、上記判定結果を所定の態様により表示する（ステップＳ１０８）。
【００６２】
図８のフローチャートは、雨水管理装置１００が運転制御のために実行する処理手順例を示している。雨水管理装置１００において、運転制御部１０４は、記憶部１０５に記憶される自動運転設定データ１５３を参照して「自動運転」が設定されているか否かについて判定する（ステップＳ２０１）。
【００６３】
「自動運転」が設定されていると判定した場合（ステップＳ２０１−ＹＥＳ）、運転制御部１０４は、雨水貯留槽２の貯留雨水が再利用可能であるとの判定結果が判定部１０１により得られているか否かについて判定する（ステップＳ２０２）。
【００６４】
ここで、雨水貯留槽２の貯留雨水を再利用可能であるとの判定結果が得られている場合（ステップＳ２０２−ＹＥＳ）、運転制御部１０４は、雨水貯留槽２の貯留雨水を再利用するように衛生設備に対する運転制御を実行する（ステップＳ２０３）。これにより、雨水貯留槽２の貯留雨水を再利用するための運転が自動で実行される。
【００６５】
また、雨水貯留槽２の貯留雨水を再利用すべきでないと判定されている場合（ステップＳ２０２−ＮＯ）、運転制御部１０４は、雨水再利用槽１の貯留雨水のみを再利用するように衛生設備に対する運転制御を実行する（ステップＳ２０４）。これにより、雨水再利用槽１の貯留雨水のみを再利用するための運転が自動で実行される。
【００６６】
また、手動運転が設定されている場合（ステップＳ２０１−ＮＯ）、運転制御部１０４は、管理者が操作部１０６に対して行った運転のための操作に応じて、運転制御を実行する（ステップＳ２０５）。
【００６７】
なお、本実施形態における衛生設備の構成は一例であり、雨水再利用槽１と雨水貯留槽２を含む構成であれば、特に限定されるものではない。
【００６８】
また、図２に示す雨水管理装置における各部の機能を実現するためのプログラムをコンピュータ読み取り可能な記録媒体に記録して、この記録媒体に記録されたプログラムをコンピュータシステムに読み込ませ、実行させることとしてもよい。なお、ここでいう「コンピュータシステム」とは、ＯＳや周辺機器等のハードウェアを含むものとする。また、「コンピュータシステム」は、ホームページ提供環境（あるいは表示環境）を備えたＷＷＷシステムも含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００６９】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００７０】
１  雨水再利用槽
２  雨水貯留槽
３  濾過器
４  雑用水受水槽
５  中水処理設備
６  ネットワーク
１１、２２、５１  移送ポンプ
２１  排水ポンプ
４１  給水ポンプ
１００  雨水管理装置（衛生設備ナビゲーション装置）
１０１  判定部
１０２  評価部
１０３  表示制御部
１０４  運転制御部
１０５  記憶部
１０６  操作部
１０７  表示部
１０８  ネットワーク通信部
１０９  データインターフェース
１５１  気象予報データ
１５２  判定条件データ
１５３  自動運転設定データ
１５４  実績データ
２００  降水量予報画面
３００  設定画面
４００Ａ、４００Ｂ、４００Ｃ、４００Ｄ  評価画面
【図１】
0005870446.tif 000002
【図２】
0005870446.tif 000003
【図３】
0005870446.tif 000004
【図４】
0005870446.tif 000005
【図５】
0005870446.tif 000006
【図６】
0005870446.tif 000007
【図７】
0005870446.tif 000008
【図８】
0005870446.tif 000009